(57)【要約】      （修正有）【課題】給水管から水が供給される１次室と、水が外部へ供給される吐水室とが形成された本体に、弁体と、ハンドルとを備えた弁機構が装着され、および逆止弁が設けられた水栓金具において、本体内部の水抜作業を容易で速やかに行なえるようにする。【解決手段】給水管５，６から水が供給される１次室１２，１３と、この１次室１２，１３と連通し水が外部へ供給される吐水室１４とが形成された本体１１に、前記１次室１２，１３から吐水室１４への流路を開閉する弁体２６と、この弁体２６を移動させることで吐水室１４から供給される水の流量を調節するハンドル２１，２１ａとを備えた弁機構２０，２０ａが装着され、この弁機構２０，２０ａと吐水室１４との間に吐水室１４から１次室１２，１３への水の逆流を防止するための逆止弁Ｄ，Ｄが設けられた水栓金具において、前記弁機構２０，２０ａは１次室１２，１３へ外気を導入する吸気部材Ｃ，Ｃを備えた。【選択図】図３
2005155234.tif 000002
【特許請求の範囲】
【請求項１】
給水管から水が供給される１次室と、この１次室と連通し水が外部へ供給される吐水室とが形成された本体に、前記１次室から吐水室への流路を開閉する弁体と、この弁体を移動させることで吐水室から供給される水の流量を調節するハンドルとを備えた弁機構が装着され、この弁機構と吐水室との間に吐水室から１次室への水の逆流を防止するための逆止弁が設けられた水栓金具において、前記弁機構は１次室へ外気を導入する吸気部材を備えたことを特徴とする水栓金具。
【請求項２】
前記吸気部材は弁体とハンドルとを結合するスピンドルに形成されたことを特徴とする請求項１記載の水栓金具。
【請求項３】
前記吸気部材は１次室と外部とを連通する孔と、この孔を１次室側から開閉する弁体とを備え、１次室から吐水室への水の供給時には孔は弁体により閉塞されることを特徴とする請求項１又は請求項２に記載の水栓金具。
【発明の詳細な説明】
【技術分野】
【０００１】
本発明は、例えば洗濯機，浄水器，食器洗い機等の機器へ水を供給することのできる水栓金具に関し、特に水栓金具の水抜き構造に関するものである。
【背景技術】
【０００２】
従来、洗濯機，浄水器，食器洗い機等の機器へ水を供給することのできる水栓金具は、水の供給側に結合されたホースが例えば洗濯機に接続されていると、洗濯機側から水栓金具の本体内部に汚水が逆流し、水栓金具の上流側へ汚水が流れてしまう恐れがある。また、水栓金具は湯水を供給することのできる混合水栓とした場合、給水源から供給される水と、給湯源から供給される湯との圧力が異なることにより、水は本体の水室から湯側供給管へ、又は湯は湯室から水側供給管へ逆流してしまうことがある。このような逆流を防止するため、水室及び湯室にそれぞれ逆止弁を収容し、水又は湯が水栓の上流側へ逆流しないようにしていた。ところが、本体内部に逆止弁を収容すると、本体の各流路は逆止弁により１次室と２次室とに仕切られる。そして、このような水栓は寒冷地などにおいて使用しない場合に、本体内部に残留する水の凍結を防止するために水抜き作業を行なう必要があるが、逆止弁により仕切られた１次室と２次室との水を抜き取る必要があり、１次室の水は水栓本体へ水を供給するための供給管に設けられた水抜栓を操作すれば水抜きが可能であるが、２次室の水は水抜栓の操作では抜くことができなかった。そこで、逆止弁に対し１次室の水だけでなく、２次室の水も抜けるようにしたものとして公知のものに、特許文献１のものがある。
【０００３】
この特許文献１の水栓は、水抜き時に１次室と２次室とが連通するように逆止弁を外部から強制的に開弁するための開弁操作手段を具備したものであり、水抜作業の手順を説明すると、排水盤の開閉バルブを閉塞した後に、水栓の水側及び湯側の各流量調節バルブを開放し、その後、排水盤の水抜用の排水コックを解放する。次にプッシュボタンを押圧して水側及び湯側の逆止弁を強制的に開弁するとともに、吐水管の先端部に設けた止水弁の弁体を押圧して吐水管を開放状態にする。すると、吐水管の先端部から水栓の内部に空気が吸入され、水栓内部は逆止弁の上流側と下流側とが連通した状態であるので、水は排水コックから外部に排水されるものである。そして、水抜作業後は、各プッシュボタン及び吐水管の押圧操作を停止し、各流量調節バルブを閉塞し、排水コックを閉塞するとともに各開閉バルブを開放するものである。
【０００４】
【特許文献１】特開２００１−２０７４９１号公報
【発明の開示】
【発明が解決しようとする課題】
【０００５】
このような水栓では、水抜作業を行なうためには、流量調節バルブを開放した後に、逆止弁を強制的に開弁するためにプッシュボタンを押圧する必要があり、これらの水抜きの場合のみ必要とする操作は、通常は行なわないため忘れがちとなるうえ、水側と湯側との両方行なうため、操作が面倒なものであり、その改善策が望まれていた。
【０００６】
本発明は、このような従来の技術に存在する問題点に着目してなされたものであり、その課題は、給水管から水が供給される１次室と、この１次室と連通し水が外部へ供給される吐水室とが形成された本体に、前記１次室から吐水室への流路を開閉する弁体と、この弁体を移動させることで吐水室から供給される水の流量を調節するハンドルとを備えた弁機構が装着され、この弁機構と吐水室との間に吐水室から１次室への水の逆流を防止するための逆止弁が設けられた水栓金具において、本体内部の水抜作業を容易で速やかに行なえるようにすることである。
【課題を解決するための手段】
【０００７】
本発明は請求項１では、給水管から水が供給される１次室と、この１次室と連通し水が外部へ供給される吐水室とが形成された本体に、前記１次室から吐水室への流路を開閉する弁体と、この弁体を移動させることで吐水室から供給される水の流量を調節するハンドルとを備えた弁機構が装着され、この弁機構と吐水室との間に吐水室から１次室への水の逆流を防止するための逆止弁が設けられた水栓金具において、前記弁機構は１次室へ外気を導入する吸気部材を備えたものである。
【０００８】
請求項２では請求項１記載の発明による水栓金具において、前記吸気部材は弁体とハンドルとを結合するスピンドルに形成されたものである。
【０００９】
請求項３では請求項１又は請求項２記載の発明による水栓金具において、前記吸気部材は１次室と外部とを連通する孔と、この孔を１次室側から開閉する弁体とを備え、１次室から吐水室への水の供給時には孔は弁体により閉塞されるものである。
【発明の効果】
【００１０】
本発明の請求項１による水栓金具は弁機構の下流側に逆止弁が装着されている水栓であり、水栓金具の上流側で排水バルブを操作すれば、弁機構の上流側に外気が導入されるため水は排水バルブから排水され、逆止弁の下流側の水は吐水室から排水され、水栓金具で特別な操作をしなくても吸気部材による外気の導入により水栓本体の大部分の水を速やかに排水させることができる。
【００１１】
請求項２では、吸気部材はスピンドルに一体に形成したので、水栓金具の形状を変更することなく外気の導入を可能とすることができる。
【００１２】
請求項３では、吸気部材は止水時のみ外気が導入され、通水時には外気が通過する孔が閉塞されるため、水が孔から外部へ漏水することはない。
【発明を実施するための最良の形態】
【００１３】
以下、本発明の実施例を図に基づいて詳細に説明する。
【実施例１】
【００１４】
図１は本発明の水栓金具Ａと、この水栓金具Ａに対し水と湯とを供給するための配水部材Ｂとの構成を示す全体図である。水栓金具Ａは屋内又は屋外に立設された壁板１に固定されるものであり、水を水栓金具Ａへ供給したり止水するための配水部材Ｂは、水栓金具Ａとは離れた位置に設置され、内部には上流側が給水源と連通している水配管２が収容されている。この水配管２の流路途中には水の流路を開閉して通水又は止水を行なうための開閉バルブ３と、水抜き用の排水バルブ４とが順に取り付けられている。水配管２の下流側は、配水部材Ｂの外側で分岐管２ａにより第１給水管５と第２給水管６とに分岐しており、第１給水管５は水栓金具Ａに接続された水連結管９と連通し、第２給水管６は給湯器７に接続されており、この給湯器７により水は高温の湯となるように加熱されるものであり、給湯器７の出口は湯配管８により水栓金具Ａの湯連結管１０と連通している。
【００１５】
図２乃至図５は本発明の水栓金具Ａの構成を示す図である。水栓金具Ａの本体１１は横長に形成されたものであり、本体１１の右側には水側１次室１２が形成され、この水側１次室１２は下部から前記水連結管９が接続される。また、本体１１の左側には湯側１次室１３が形成され、この湯側１次室１３は下部から前記湯連結管１０が接続される。本体１１の略中央には吐水室１４が形成されており、前記水側１次室１２と吐水室１４とは水側２次室１２ａを介して連通し、前記湯側１次室１３と吐水室１４とは湯側２次室１３ａを介して連通している。そして、水側１次室１２と吐水室１４、又は湯側１次室１３と吐水室１４とが連通すると、水、湯、又は湯水を吐水室１４から外部へ供給可能である。
【００１６】
図５に示すように、前記吐水室１４は先端に止水弁１５が装着されている。この止水弁１５は吐水室１４を上下方向に進退自在の第１弁体１６と、この第１弁体１６を付勢して吐水室１４の開口１７を水密的に閉塞する第１スプリング１８とからなり、吐水室１４に対しホース１９が接続されると、ホース１９の先端部が第１弁体１６を第１スプリング１８の付勢力に抗して上部へ移動させることで、吐水室１４からホース１９に対し水の供給が可能である。そして、ホース１９を吐水室１４から外した状態では、第１スプリング１８が第１弁体１６を上部から付勢して、この第１弁体１６が開口１７を水密的に閉塞することで、吐水室１４の水は開口１７から外部へ供給されないようにしたものである。
【００１７】
図３及び図４に示すように、前記本体１１の水側２次室１２ａには、水の流量を調節するための水側弁機構２０が装着され、この水側弁機構２０に結合された水側ハンドル２１の操作により、水側１次室１２から水側２次室１２ａへ供給される水の流量が調節可能である。また、前記水側弁機構２０と併設して吐水室１４を挟み、湯の流量を調節するための湯側弁機構２０ａが装着され、この湯側弁機構２０ａに結合された湯側ハンドル２１ａの操作により、湯側１次室１３から湯側２次室１３ａへ供給される湯の流量が調節可能で、水側，湯側の各ハンドル２１，２１ａを操作することで湯水の流量と温度とが調節され、調節された湯水は吐水室１４から外部へ供給される。
【００１８】
前記水側１次室１２と水側２次室１２ａとは隔壁２２により区画されており、この隔壁２２に穿設された第１弁口２３により水側１次室１２と水側２次室１２ａとは連通している。水側弁機構２０は第１弁口２３と同心に形成された第１弁座２４に対し接離自在で、第１弁口２３を開閉する第２弁体２６を備えたスピンドル２５と、このスピンドル２５を挿通して本体１１に対し螺着して固定されるプラグ２７と、スピンドル２５の先端に結合される前記水側ハンドル２１とを備え、水側ハンドル２１を回転操作することで第２弁体２６は第１弁座２４に着座したり第１弁座２４から離れ、水側１次室１２の水を水側２次室１２ａへ供給したり止水する。また、湯側弁機構の構成は水側弁機構と同一であるので、その説明を省略する。
【００１９】
前記弁機構２０，２０ａについて水側弁機構２０により説明すると、外部から外気を１次室１２へ導入することのできる吸気部材Ｃを備えている。吸気部材Ｃはスピンドル２５の縦軸方向に穿設された軸孔２５ａと、この軸孔２５ａの下部に連続して小径に穿設され前記１次室１２と連通する細孔２５ｂと、前記軸孔２５ａの上部側面に穿設され外部と連通する導入孔２５ｃとを備え、１次室１２の内部に外気を導入させることができる。また、図６に示すように細孔２５ｂには１次室１２側から第３弁体２９が抜止部材２８により落下しないように支持されており、この第３弁体２９は、通水時はシール部材２６ａと共にスピンドル２５のシート部２５ｄに着座することで、細孔２５ｂへの流路を閉塞しており、１次室１２から２次室１２ａへの通水時に水が細孔２５ｂへ通水して導入孔２５ｃから外部へ漏れることはない。また、止水時に導入孔２５ｃから外気が導入された場合は、軸孔２５ａを通過する外気は第３弁体２９を押圧して細孔２５ｂから第３弁体２９の周囲を通過し、１次室１２へ導入されることで、水を排水バルブ４から排水させることができるものである。
【００２０】
前記吐水室１４で止水弁１５の上流側には水側用と湯側用との逆止弁Ｄ，Ｄがそれぞれ装着される。この逆止弁Ｄは本体１１の隔壁２２に形成された第２弁座２４ａに対し吐水室１４から着座自在で、軸部３１を備えた第４弁体３０と、この第４弁体３０の軸部３１を支持する挿通孔３２ａが穿設されたプラグ３２と、第４弁体３０を第２弁座２４ａに対し付勢する第２スプリング３３とからなり、本体１１に穿設された挿通孔３４に対しプラグ３２を螺着することで本体１１に固定される。そして、この逆止弁Ｄは１次室１２，１３から２次室１２ａ，１３ａへ水又は湯が供給されない止水状態では、第２スプリング３３の付勢力により第２弁口２３ａを閉塞しているため、吐水室１４から２次室１２ａ，１３ａへ向けて水が逆流することはなく、２次室１２ａ，１３ａから吐水室１４へ向けて水が供給されると水の圧力水により第４弁体３０は第２スプリング３３の付勢力に抗して押し上げられ第２弁口２３ａが開口し、水は吐水室１４へ供給される。
【００２１】
前記水栓金具Ａは図１乃至図３に示すように、壁板１に穿設された壁孔１ａに挿通して固定されるボックス３５に対し装着され、ボックス３５の前面には水栓金具Ａをボックス３５の内部に覆い隠すためのカバー３６が結合される。
【００２２】
前記ボックス３５は横長の箱型に形成され、内部には水栓金具Ａを収容することのできる空間３７が形成されている。該ボックス３５を固定するには、ボックス３５を壁板１の裏側から、薄板状のプレート３９を壁板１の表側からそれぞれ向かい合わせた状態で、壁板１の表側からボルト３８をプレート３９及びボックス３５のそれぞれのねじ孔に螺着し、壁板１を挟着することで固定させることができるものである。
【００２３】
本実施例の水栓金具Ａにおいて、寒冷地等で凍結が予想される場合に水抜きを行なうには、配水部材Ｂで開閉バルブ３を止水方向へ操作して水栓金具Ａへ通水しないようにし、次に排水バルブ４を操作すればよい。即ち、水栓金具Ａが止水状態の場合に、水栓金具Ａ内の水抜きを行なうため配水部材Ｂの開閉バルブ３と排水バルブ４とを操作すると、弁機構２０，２０ａの吸気部材Ｃによりスピンドル２５の導入孔２５ｃ、軸孔２５ａ、細孔２５ｂを介して外気が１次室１２，１３へ導入されるため、弁機構２０，２０ａの上流側である水側１次室１２の水，湯側１次室１３の湯は、第１流路管５，第２流路管６，湯配管８を通過した後に排水バルブ４から外部へ排水される。また、吐水室１４に残留している水は止水弁１５を下側から押圧することで開口１７を開放し、この開口１７から水を外部へ排水させることができる。このように水栓金具Ａの内部に残留している大部分の水は、水栓金具Ａ側では止水弁１５を押圧するのみの簡単なで操作で排水させることができる。そして水側ハンドル２１と湯側ハンドル２１ａとを開弁方向に操作すれば、図７に示すように水側１次室１２と水側２次室１２ａとは第１弁口２３により連通し、湯側１次室１３と湯側２次室１３ａとは第１弁口２３により連通し、２次室１２ａ，１３ａの水は１次室１２，１３へ達するため、水栓金具Ａの内部に残留しているすべての水を外部へ排水させることができる。
【００２４】
以上のように、本発明は弁機構の下流側に逆止弁が装着されている水栓であり、水栓の上流側で水抜栓を操作すれば、弁機構の上流側の水は水抜栓から排水され、逆止弁の下流側の水は吐水室から排水され、水栓側で特別な操作をしなくても吸気部材による外気の導入により水栓本体の大部分の水を速やかに排水させることができる。
【図面の簡単な説明】
【００２５】
【図１】配水部材と本発明の水栓金具の全体図である。
【図２】水栓金具の正面図である。
【図３】図２のＸ−Ｘ線平断面図である。
【図４】図２のＹ−Ｙ線縦断面図である。
【図５】図２のＺ−Ｚ線縦断面図である。
【図６】図３の拡大説明図で、通水状態である。
【図７】図３の拡大説明図で、水抜状態である。
【符号の説明】
【００２６】
５    ：第１給水管
１２  ：水側１次室
１３  ：湯側１次室
１４  ：吐水室
１６  ：第１弁体
２０  ：水側弁機構
２０ａ：湯側弁機構
２１  ：水側ハンドル
２１ａ：湯側ハンドル
２５  ：スピンドル
２５ａ：軸孔
２５ｂ：細孔
２５ｃ：導入孔
２９  ：第３弁体
Ａ    ：水栓金具
Ｃ    ：吸気部材
Ｄ    ：逆止弁
【図１】
2005155234.tif 000003
【図２】
2005155234.tif 000004
【図３】
2005155234.tif 000005
【図４】
2005155234.tif 000006
【図５】
2005155234.tif 000007
【図６】
2005155234.tif 000008
【図７】
2005155234.tif 000009